(57)【要約】      （修正有）【課題】鼻の側部との隙間を小さくするマスクを提供する。【解決手段】使用者の鼻及び口を覆うマスク本体部５と、マスク本体部の両端に取り付けられた一対の紐部６と、紐部にそれぞれ取り付けられ、互いに着脱可能に係合する一対の留め具７とを有し、当該マスクが使用者に装着された使用形態において、マスク本体部の上縁部１１は中央部から左右両側に向けて下方に傾斜し、かつ使用者の頬骨の頂部より下方に配置され、紐部は使用者の耳たぶより下方を通過し、使用者の首の後方において留め具によって互いに係合するマスクを提供する。【選択図】図１
0003232543.tif 000002
【実用新案登録請求の範囲】
【請求項１】
マスクであって、
使用者の鼻孔及び口を覆うマスク本体部と、
前記マスク本体部の左右両端に取り付けられた一対の紐部と、
一対の前記紐部を着脱可能に係合する留め具とを有し、
当該マスクが前記使用者に装着された使用形態において、前記マスク本体部の上縁部は中央部から左右両端に向けて下方に傾斜し、かつ前記使用者の頬骨の頂部より下方に向けて延び、前記紐部は前記使用者の耳たぶより下方を通過し、前記使用者の首の後方において前記留め具によって互いに係合するマスク。
【請求項２】
前記上縁部の左右方向における前記中央部には、前記使用者の鼻の側部に沿った形状を保持し得る形状保持部材が設けられている請求項１に記載のマスク。
【請求項３】
前記紐部は、前記マスク本体部に対して着脱可能に取り付けられている請求項１又は請求項２に記載のマスク。
【請求項４】
前記マスク本体部は、平面状に延在した使用前形態になることができ、
前記使用前形態において、前記マスク本体部の前記中央部の上下幅は、前記マスク本体部の左右両端のそれぞれの上下幅に対して１．５倍以上に設定されている請求項１〜請求項３のいずれか１つの項に記載のマスク。
【請求項５】
前記使用形態において、前記マスク本体部の前記中央部の上下幅は、前記マスク本体部の左右両端のそれぞれの上下幅に対して２倍以上に設定されている請求項１〜請求項４のいずれか１つの項に記載のマスク。
【請求項６】
前記マスク本体部は、その前記中央部に上下に展開可能なプリーツ部を有し、その左右の側部のそれぞれに上下に延びると共に、前記プリーツ部に対して伸縮性が低い側縁部を有する請求項１〜請求項５のいずれか１つの項に記載のマスク。
【請求項７】
前記留め具及び前記紐部の少なくとも一方は、長さ調整機構を有する請求項１〜請求項６のいずれか１つの項に記載のマスク。
【考案の詳細な説明】
【技術分野】
【０００１】
本考案は、マスクに関する。
【背景技術】
【０００２】
矩形状のマスク本体部の上縁部に、形状保持部材としてのノーズワイヤが設けられたマスクが公知である（例えば、特許文献１）。このマスクは、ノーズワイヤによってマスク本体部を使用者の鼻に密着させる。これにより、顔の表面とマスク本体部の上縁部との隙間から呼気が漏れることを防止して、眼鏡が曇ることを防止する。また、隙間からウイルスや異物等が吸い込まれることを防止する。
【先行技術文献】
【特許文献】
【０００３】
【特許文献１】特許第６７４４６５１号公報
【考案の概要】
【考案が解決しようとする課題】
【０００４】
しかし、ノーズワイヤだけでは、起伏が大きい表面に対して追従することが難しく、マスクと顔面との間に隙間が生じるという問題がある。ノーズワイヤの剛性を高めて顔面への追従性を高める対策が考えられるが、その場合、個人差がある各個人の顔の形状に適合させることが難しくなると共に、装着感が悪くなるという問題がある。
【０００５】
本考案は、以上の背景を鑑み、マスクにおいて、マスク本体部の上縁部と鼻の側部との隙間を小さくすることを課題とする。
【課題を解決するための手段】
【０００６】
上記課題を解決するために、本考案の一態様は、使用者（２）の鼻孔及び口を覆うマスク本体部（５、１０５）と、前記マスク本体部の左右両端に取り付けられた一対の紐部（６、１０６）と、一対の前記紐部を着脱可能に係合する留め具（７、１０７）とを有し、当該マスクが前記使用者に装着された使用形態において、前記マスク本体部の上縁部（１１）は中央部から左右両端に向けて下方に傾斜し、かつ前記使用者の頬骨（２８）の頂部（２９）より下方に向けて延び、前記紐部は前記使用者の耳たぶより下方を通過し、前記使用者の首の後方において前記留め具によって互いに係合するマスク（１、１０１）を提供する。
【０００７】
この態様によれば、マスク本体部の上縁は、起伏の大きい頬骨を避けて、比較的平坦な部分を延びるため、マスク本体部の上縁部と鼻の側部との隙間を小さくすることができる。
【０００８】
上記の態様において、前記上縁部の左右方向における前記中央部には、前記使用者の鼻の側部に沿った形状を保持し得る形状保持部材（２０）が設けられているとよい。
【０００９】
この態様によれば、マスク本体部の上縁部と使用者の鼻の側部との密着性を一層高めることができる。
【００１０】
上記の態様において、前記紐部は、前記マスク本体部に対して着脱可能に取り付けられているとよい。
【００１１】
この態様によれば、紐部及び留め具を再使用して、ごみを削減することができる。
【００１２】
上記の態様において、前記マスク本体部は、平面状に延在した使用前形態になることができ、前記使用前形態において、前記マスク本体部の前記中央部の上下幅（Ｗ２）は、前記マスク本体部の左右両端のそれぞれの上下幅（Ｗ１）に対して１．５倍以上に設定されているとよい。
【００１３】
この態様によれば、マスク本体部の上縁が中央部から左右端部に向けて斜め下方に延び易くなる。これにより、マスク本体部の上縁は、起伏の大きい頬骨を避けて、比較的平坦な部分を延びるため、マスクと鼻の側部との隙間を小さくすることができる。
【００１４】
上記の態様において、前記使用形態において、前記マスク本体部の前記中央部の上下幅（Ｗ３）は、前記マスク本体部の左右両端のそれぞれの上下幅に対して２倍以上に設定されているとよい。
【００１５】
この態様によれば、マスク本体部の上縁が中央部から左右端部に向けて斜め下方に延び易くなる。これにより、マスク本体部の上縁は、起伏の大きい頬骨を避けて、比較的平坦な部分を延びるため、マスクと鼻の側部との隙間を小さくすることができる。
【００１６】
上記の態様において、前記マスク本体部は、その前記中央部に上下に展開可能なプリーツ部（１５）を有し、その左右の側部のそれぞれに上下に延びると共に、前記プリーツ部に対して伸縮性が低い側縁部（１０）を有するとよい。
【００１７】
この態様によれば、マスク本体部によって鼻孔及び口を十分に覆うことができる。
【００１８】
上記の態様において、前記留め具及び前記紐部の少なくとも一方は、長さ調整機構（２５）を有するとよい。
【００１９】
この態様によれば、使用者の顔の形状及び大きさに合わせてマスクの長さを調整することができる。
【考案の効果】
【００２０】
以上の考案によれば、マスクにおいて、マスク本体部と鼻の側部との隙間を小さくすることができる。
【図面の簡単な説明】
【００２１】
【図１】第１実施形態に係るマスクを斜め後方から見たときの斜視図
【図２】使用前形態における図１のマスクを説明するための説明図
【図３】使用形態における図１のマスクを説明するための説明図
【図４】図１のマスクの作成手順を説明する説明図
【図５】使用前形態における第２実施形態に係るマスクを説明するための説明図
【考案を実施するための形態】
【００２２】
以下、図面を参照して、本考案に係るマスクの実施形態を説明する。
【００２３】
図１〜図３に示すように、第１実施形態に係るマスク１は、使用者２の鼻孔及び口を覆うマスク本体部５と、マスク本体部５の両端に取り付けられた一対の紐部６と、一対の紐部６を着脱可能に係合する留め具７とを有する。
【００２４】
図２に示すように、マスク本体部５が平面状に延在した形態を使用前形態とする。マスク本体部５は、シート状部材から形成されている。シート状部材は、例えば、不織布、ポリウレタン、布などを含む。本実施形態では、マスク本体部５は不織布から形成されている。マスク本体部５は、２層構造の不織布から形成されていてもよい。
【００２５】
マスク本体部５は、その左右の側部のそれぞれにおいて上下に延びる側縁部１０と、側縁部１０の上端どうしを接続する上縁部１１と、側縁部１０の下端どうしを接続する下縁部１２とを有する。マスク本体部５の上縁部１１は、中央部から左右両側に向けて下方に傾斜している。マスク本体部５の下縁部１２は、中央部から左右両側に向けて上方に傾斜している。左右の側縁部１０と、上縁部１１と、下縁部１２とは、互いに接続して枠形の縁部を形成している。
【００２６】
図１〜図３に示すように、マスク本体部４の中央部、すなわち縁部の内側にはプリーツ部１５が設けられている。プリーツ部１５は上下に展開可能である。プリーツ部１５は、左右方向に延びる複数の折り目１６を有している。複数の折り目１６は、互いに平行に延びている。プリーツ部１５は、表面側から見て下向きの山折り部１６Ａを有しているとよい。
【００２７】
マスク本体部５の上縁部１１、下縁部１２及び左右の側縁部１０は、シート状部材を折り返すことによって形成されている。これにより、マスク本体部５の上縁部１１、下縁部１２及び左右の側縁部１０は、中央部よりも伸縮性が低い。
【００２８】
マスク本体部５の左右方向の中央部における上下幅Ｗ２は、マスク本体部５の左右両端のそれぞれにおける上下幅Ｗ１よりも大きい。使用前形態において、マスク本体部５の中央部における上下幅Ｗ２は、マスク本体部５の左右両端のそれぞれにおける上下幅Ｗ１に対して１．５倍以上であるとよく、２倍以上であることが好ましい。
【００２９】
マスク本体部５の上縁部１１の中央部には、形状保持部材２０が設けられている。形状保持部材２０は、使用者２の鼻の側部に沿った形状を保持し得る。形状保持部材２０は、細長い板状又は棒状に形成された部材である。形状保持部材２０は、例えば、金属、樹脂又は厚紙等の可撓性を有する部材から形成される。本実施形態では、形状保持部材２０は金属製のワイヤである。形状保持部材２０は、シート状部材を折り返してマスク本体部５の上縁部１１を形成するときに、折り返されるシート状部材の間に介装されるとよい。
【００３０】
紐部６は、ゴム紐などの伸縮性を有する紐状の部材から形成されている。本実施形態では、一対の紐部６はそれぞれ、マスク本体部５の左右の側縁部１０に取り付けられている。紐部６は、一端において側縁部１０の上端に取り付けられている。紐部６は、他端において側縁部１０の下端に取り付けられている。すなわち、左右の紐部６は、対応する側縁部１０と共に環状をなしている。一対の紐部６のそれぞれには、留め具７が取り付けられている。留め具７は、紐部６の長手方向に移動可能に紐部６に取り付けられてもよい。
【００３１】
留め具７は、一対設けられ、各紐部６に設けられている。一対の留め具７はそれぞれ、紐部６に取り付けられた帯状の留め具本体部２３と、留め具本体部２３の端部に設けられた係合部２４とを有する。各係合部２４は、互いに着脱可能に係合する。留め具本体部２３は、例えば、布、樹脂などによって形成されている。本実施形態では、留め具本体部２３は布によって形成されている。
【００３２】
係合部２４は、面ファスナ、フック、磁石等を含む。本実施形態では、係合部２４は面ファスナである。本実施形態では、係合部２４は、使用者２の顔の形状又は大きさに合わせてマスク１全体の長さを調整する長さ調整機構２５としても機能する。
【００３３】
図３に示すように、使用者２がマスク１を装着した形態を使用形態とする。使用形態では、マスク本体部５は使用者２の鼻孔及び口を覆っている。マスク本体部５の上縁部１１は、中央部から左右両端に向けて下方に傾斜し、かつ使用者２の頬骨２８の頂部２９より下方に向けて延びている。すなわち、マスク本体部５の上縁部１１は、使用者２の頬骨２８の頂部２９の下方を通過して後方かつ下方に延びている。また、マスク本体部５の上縁部１１は、使用者２の頬骨２８の下端部より下方に向けて延びていてもよい。マスク本体部５の下縁部１２は、中央部から左右両端に向けて上方に傾斜し、かつ使用者２の輪郭に沿って延びている。
【００３４】
マスク本体部５の中央部に設けられたプリーツ部１５は、上下に展開されている。使用形態におけるマスク本体部５の中央部の上下幅Ｗ３は、使用前形態におけるマスク本体部５の中央部の上下幅Ｗ２（図２参照）よりも大きくなる。例えば、使用形態におけるマスク本体部５の中央部の上下幅Ｗ３は、マスク本体部５の左右両端のそれぞれの上下幅Ｗ１に対して２倍以上に設定されているとよく、約２．５倍に設定されていることが好ましい。
【００３５】
マスク本体部５の上縁部１１に設けられた形状保持部材２０は、使用者２の鼻の形状に沿うように配置されている。形状保持部材２０は、使用者２によって、使用者２の鼻の形状に沿うように更に変形されていてもよい。
【００３６】
左右の紐部６は、マスク本体部５の左右の側縁部１０からそれぞれ後方に延び、かつ使用者２の左右の耳たぶより下方を通過している。左右の紐部６は、使用者２の左右の耳たぶの下端より下方を通過しているとよい。留め具７は、使用者２の首の後方において互いに係合している。
【００３７】
次に、図４を参照して、マスク１の製造方法について説明する。最初に、不織布から形成されたシート状部材を用意し、図示しないプリーツ加工機を用いて、横方向に延びる複数の折り目１６を含むプリーツ部１５を形成する（図４（Ａ））。折り目１６は、山折り部１６Ａと、山折り部１６Ａの下方において山折り部１６Ａと平行に延びる谷折り部１６Ｂ（図３参照）とを含む。山折り部１６Ａ及び谷折り部１６Ｂ（図３参照）は、所定の間隔をもって交互に設けられているとよい。これにより、プリーツ部１５を、表面側から見て下向きの山折り部１６Ａを有するように形成することができる。
【００３８】
次に、プリーツ部１５が設けられたシート状部材を裁断し、マスク本体部５を形成する（図４（Ｂ））。シート状部材は、例えば、略六角形に裁断されるとよい。
【００３９】
次に、マスク本体部５の左右の両端をそれぞれ内側に折り返して接合することによって、側縁部１０を形成する（図４（Ｃ））。接合は、例えば、縫製、熱融着、接着剤を用いた接着などによって行うことができる。本実施形態では、接合は、熱融着によって行われる。
【００４０】
次に、マスク本体部５の上縁に沿って、マスク本体部５の左右方向における中央部に形状保持部材２０を配置する。形状保持部材２０を配置した後、マスク本体部５の上縁を、形状保持部材２０を包むように下方内側に折り返し、接合する（図４（Ｄ））。これにより、マスク本体部５に上縁部１１が形成され、上縁部１１によって形状保持部材２０が介装される。同様に、マスク本体部５の下縁を上方内側に折り返して接合を行い、マスク本体部５に下縁部１２を形成する。
【００４１】
次に、２本の紐部６を用意し、各紐部６の両端を、マスク本体部５の左右の側縁部１０の上端及び下端に取り付ける（図４（Ｅ））。紐部６とマスク本体部５とは一体に取り付けられてもよく、取り外し可能に取り付けられてもよい。本実施形態では、紐部６とマスク本体部５とは、熱融着によって一体に形成されている。
【００４２】
最後に、左右の紐部６のそれぞれに、それぞれ留め具７を取り付ける（図４（Ｆ））。以上により、本実施形態に係るマスク１が作成される。なお、上記の製造方法は一例であり、変更が可能である。例えば、シート状部材を所定の形状に裁断した後に、シート状部材にプリーツ加工を行ってもよい。
【００４３】
本実施形態に係るマスク１によれば、マスク本体部５の上縁部１１は、使用形態において、中央部から左右両端に向けて下方に傾斜し、かつ使用者２の頬骨２８の頂部２９より下方に向けて延びる。これにより、マスク本体部５の上縁部１１は、起伏の大きい頬骨２８を避けて、比較的平坦な部分を延びる。よって、マスク本体部５の上縁部１１と鼻の側部との隙間を小さくすることができる。よって、マスク１を装着しているときに息が漏れて使用者２が不快に感じ難くなる。また、呼気によってメガネが曇り難くなる。
【００４４】
紐部６は使用者２の耳たぶより下方を通過し、使用者２の首の後方において留め具７によって互いに係合する。これにより、マスク本体部５の上縁部１１が使用者２の頬骨２８の頂部２９より下方を通過し易くなる。また、紐部６による耳の後部の圧迫や摩擦を防止することができる。よって、使用者２がマスク１を装着しているときに不快に感じ難い。
【００４５】
マスク本体部５の上縁部１１の左右方向における中央部には、使用者２の鼻の側部に沿った形状を保持し得る形状保持部材２０が設けられている。このため、マスク本体部５の上縁部１１と使用者２の鼻の側部との密着性を一層高めることができる。
【００４６】
使用前形態において、マスク本体部５の中央部の上下幅Ｗ２は、マスク本体部５の左右両端のそれぞれの上下幅Ｗ１に対して１．５倍以上に設定されている。また、使用形態において、マスク本体部５の中央部の上下幅Ｗ３は、マスク本体部５の左右両端のそれぞれの上下幅Ｗ１に対して２倍以上に設定されている。このため、マスク本体部５の上縁部１１が中央部から左右端部に向けて斜め下方に延び易くなる。これにより、マスク本体部５の上縁部１１は、起伏の大きい頬骨２８を避けて、比較的平坦な部分を延びるため、マスク１と鼻の側部との隙間を小さくすることができる。
【００４７】
マスク本体部５は、その中央部に上下に展開可能なプリーツ部１５を有し、その左右の側部のそれぞれに上下に延びると共に、プリーツ部１５に対して伸縮性が低い側縁部１０を有する。このため、プリーツ部１５を上下に展開することにより、マスク本体部５によって鼻孔及び口を十分に覆うことができる。
【００４８】
留め具７は長さ調整機構２５を有しているため、使用者２は、顔の形状及び大きさに合わせてマスク１の長さを調整することができる。
【００４９】
次に、第２実施形態に係るマスク１０１について説明する。マスク１０１の構成において、第１実施形態に係るマスク１と同一の構成については同一の符号を付して説明を省略する。
【００５０】
図５に示すように、マスク本体部１０５は略五角形の形状を有している。マスク本体部１０５の下縁部１１２は、中央部から左右両側に向けてプリーツ部１５に対して平行に延びている。マスク本体部１０５の左右の側縁部１０の上下方向における上端部及び下端部には、それぞれ第１係合部１０２が形成されている。各第１係合部１０２には、左右の紐部１０６に取り付けられた複数の第２係合部１０３が、それぞれ取り外し可能に取り付けられている。例えば、第１係合部１０２はボタンホールであり、第２係合部１０３はボタンであるとよい。
【００５１】
紐部１０６はそれぞれ、帯状の紐本体部１０４と、紐本体部１０４の一端側に取り付けられた複数の第２係合部１０３とを有する。紐本体部１０４は、例えば、一本の平ゴムから形成されているとよい。
【００５２】
複数の第２係合部１０３は、紐本体部１０４の一端側に、紐本体部１０４が延びる方向に沿って取り付けられている。第２係合部１０３は、互いに所定の間隔をもって配置されている。使用者２は、マスク１０１の装着時には、複数の第２係合部１０３のうちいずれか１つをマスク本体部１０５に設けられた第１係合部１０２と係合させることによって、マスク本体部１０５と紐部１０６とを接続する。使用者２は、第１係合部１０２と係合させる第２係合部１０３を複数の第２係合部１０３から１つ選択することによって、マスク本体部１０５から延びる紐部１０６の長さを調整する。すなわち、本実施形態において、複数の第２係合部１０３は長さ調整機構２５として機能する。
【００５３】
紐本体部１０４の他端にはそれぞれ、留め具１０７が取り付けられている。本実施形態では、留め具１０７は互いに係脱可能に係合する磁石である。すなわち、本実施形態では、留め具１０７は係合部２４として機能し、第１実施形態に係る留め具本体部２３（図２参照）は省略されている。
【００５４】
本実施形態に係るマスク１０１によれば、紐部１０６は、マスク本体部１０５に対して係脱可能に係合している。このため、紐部１０６及び留め具１０７をマスク本体部１０５から取り外して再使用することができる。よって、マスク本体部１０５のみを廃棄することができる。すなわち、ごみを削減することができる。
【００５５】
上記実施形態では、長さ調整機構２５は留め具７に設けられた面ファスナや紐部１０６に設けられた複数のボタンであったが、これに限定されない。例えば、長さ調整機構２５は留め具７、１０７に設けられたベルト及びバックルであってもよい。また、紐部６、１０６が高い伸縮力を有する部材から形成され、紐部６、１０６全体が長さ調整機構２５として機能してもよい。
【符号の説明】
【００５６】
１：第１実施形態に係るマスク
２：使用者
５：マスク本体部
６：紐部
７：留め具
１０：側縁部
１１：上縁部
１５：プリーツ部
２０：形状保持部材
２５：長さ調整機構
２８：頬骨
２９：頂部
１０１：第２実施形態に係るマスク
１０５：マスク本体部
１０６：紐部
１０７：留め具
Ｗ１：上下幅
Ｗ２：上下幅
Ｗ３：上下幅
【図１】
0003232543.tif 000003
【図２】
0003232543.tif 000004
【図３】
0003232543.tif 000005
【図４】
0003232543.tif 000006
【図５】
0003232543.tif 000007